(57)【要約】【課題】昇降路内に配設された障害物に干渉することなく円滑に巻上機を揚重することが出来るエレベータ巻上機の揚重装置及び揚重方法を提供するにある。【解決手段】本発明によれば、上記の通り、固定部材７を介して前記巻上機６を起立状態で前記ビーム部材５に固定して揚重すれば、昇降路１内に作業足場４等の障害物があってもこの障害物に干渉することなく円滑に巻上機６を揚重することが出来る。  【選択図】図１
2007210708.tif 000002
【特許請求の範囲】
【請求項１】
昇降路内に立設され乗かごもしくはつり合いおもりである昇降体の昇降を案内するそれぞれ一対のガイドレールのうちどちらか一対のガイドレールに案内させて巻上機を揚重するエレベータ巻上機の揚重装置において、
前記一対のガイドレールにその両端部が案内されて昇降するビーム部材と、このビーム部材に前記巻上機を起立状態もしくは昇降路中央側への傾倒状態となるよう回動可能に固定する固定部材と、前記昇降路頂部に設置され前記ビーム部材に一端が固定される揚重索を引揚げることにより前記ビーム部材を揚重する揚重機とを備えて構成したことを特徴とするエレベータ巻上機の揚重装置。
【請求項２】
請求項１に記載のエレベータ巻上機の揚重装置において、
前記固定部材は、前記昇降路中央側に設置される作業足場に干渉しない位置に前記巻上機を起立状態で固定することを特徴とするエレベータ巻上機の揚重装置。
【請求項３】
昇降路内に立設され乗かごもしくはつり合いおもりである昇降体の昇降を案内するそれぞれ一対のガイドレールのうちどちらか一対のガイドレールに案内させて巻上機を揚重するエレベータ巻上機の揚重方法において、
前記一対のガイドレールにその両端部が案内されて昇降するビーム部材に前記巻上機を起立状態で固定し、昇降路頂部に設置した揚重機により昇降路下部から昇降路頂部に向けて前記ビーム部材を吊上げるとともに、前記巻上機を傾倒状態とした後昇降路頂部に前記巻上機を固定することを特徴とするエレベータ巻上機の揚重方法。
【発明の詳細な説明】
【技術分野】
【０００１】
本発明は、エレベータ巻上機の揚重装置及び揚重方法に関する。
【背景技術】
【０００２】
従来におけるエレベータ巻上機の揚重装置としては、乗かごを案内するガイドレールにその両端が案内される機械台上に巻上機を固定し、この機械台を吊上げることにより前記巻上機を揚重するものが提案されていた（特許文献１参照）。
【特許文献１】特開２０００−１６９０５９公報
【発明の開示】
【発明が解決しようとする課題】
【０００３】
しかし、前記特許文献１に記載の従来技術によれば、前記昇降路内に作業足場等の障害物が配設されていた場合にこの障害物と巻上機とが干渉し、両者が損傷する懸念があった。
【０００４】
本発明は、この不都合を鑑みてなされたもので、その目的は、昇降路内に配設された障害物に干渉することなく円滑に巻上機を揚重することが出来るエレベータ巻上機の揚重装置及び揚重方法を提供するにある。
【課題を解決するための手段】
【０００５】
本発明は、上記目的を達成するために、昇降路内に立設され乗かごもしくはつり合いおもりである昇降体の昇降を案内するそれぞれ一対のガイドレールのうちどちらか一対のガイドレールに案内させて巻上機を揚重するエレベータ巻上機の揚重装置において、前記一対のガイドレールにその両端部が案内されて昇降するビーム部材と、このビーム部材に前記巻上機を起立状態もしくは昇降路中央側への傾倒状態となるよう回動可能に固定する固定部材と、前記昇降路頂部に設置され前記ビーム部材に一端が固定される揚重索を引揚げることにより前記ビーム部材を揚重する揚重機とを備えて構成したことを特徴とする。
【０００６】
本発明によれば、上記の通り、前記巻上機を起立状態で前記ビーム部材に固定して揚重すれば、昇降路内に作業足場等の障害物があってもこの障害物に干渉することなく円滑に巻上機を揚重することが出来る。
【０００７】
また、据付位置まで揚重したなら、前記巻上機を傾倒状態とすることにより、巻上機を据付位置に容易且つ正確に位置決めすることが出来る。
【発明の効果】
【０００８】
本発明のエレベータ巻上機の揚重装置及び揚重方法によれば、昇降路内に配設された障害物に干渉することなく円滑に巻上機を揚重し据付けることが出来る。
【発明を実施するための最良の形態】
【０００９】
以下、本発明の一実施の形態を図に基づき説明する。
【００１０】
ここで図１〜図３は本発明であるエレベータ巻上機の揚重装置を用いた巻上機の揚重方法を説明する昇降路縦断面図、図４〜図６は本発明であるエレベータ巻上機の揚重装置の要部拡大図である。
【００１１】
まず、本発明である揚重装置が用いられるエレベータの構成について、図１を用いて説明する。
【００１２】
図１に示す通り、昇降路１内には、図示しない乗かごもしくはつり合いおもりである昇降体の昇降をそれぞれ案内する一対のガイドレール２，３が立設されている。また、これらガイドレール２，３等を据付けるための据付作業足場４が、昇降路１の底部から頂部に向けて組上げられている。
【００１３】
次に、本発明である揚重装置の構成について図４〜図６を用いて説明する。
【００１４】
図４・５に示す通り、本発明の揚重装置は、前記一対のつり合いおもり用ガイドレール３にその両端部が案内されて昇降するビーム部材５と、このビーム部材５に巻上機６を起立状態（図４・５参照）もしくは昇降路１中央側への傾倒状態（図６参照）となるよう回動可能に固定する固定部材７と、前記昇降路１頂部に設置され前記ビーム部材５に一端が固定される揚重索８ａを引揚げることにより前記ビーム部材５を揚重する揚重機８とを備えて構成されている。なお前記ビーム部材５の下方には、このビーム部材５をガイドレール３に対して着脱自在に固定する固定具９も設けられている。
【００１５】
次に、本発明の揚重装置を用いた巻上機の揚重方法を図１〜図６を用いて説明する。
【００１６】
まず図１に示す通り、昇降路１の最下階乗場１０ａ近傍の作業足場４を用いて前記固定具９をガイドレール３に固定した後、この固定具９上にビーム部材５を取付け、そしてこのビーム部材５へ巻上機６を起立させた状態で固定部材７を介して取付ける。
【００１７】
その後、前記揚重機８の揚重索８ａを前記ビーム部材５に固定し、前記固定具９の固定状態を解除した後、図２に示す通り、最上階乗場１０ｂ近傍の昇降路１頂部まで揚重機８にて前記ビーム部材５を吊上げる。
【００１８】
そして吊上げたビーム部材５を、前記固定具９を用いてガイドレール３に固定した後、ガイドレール３の頂部から下方に垂設されるロッド部材１１でビーム部材５を固定する。
【００１９】
その後、図３及び図６に示す通り固定部材７を回転軸にして、巻上機６を昇降路１中央側への傾倒状態となるよう回動させて固定し、前記揚重索８ａを取外せば巻上機６の据付作業は完了する。
【００２０】
本発明によれば、上記の通り、前記巻上機６を起立状態で前記ビーム部材５に固定して揚重すれば、昇降路１内に作業足場４等の障害物があってもこの障害物に干渉することなく円滑に巻上機６を揚重することが出来る。
【００２１】
なお、本実施の形態によればつり合いおもり用ガイドレール３に案内させてビーム部材５を吊上げることとしたが、乗かご用ガイドレール２の周囲にビーム部材５を昇降させる空間があるなら乗かご用ガイドレール２に案内させてビーム部材５を吊上げても良い。
【図面の簡単な説明】
【００２２】
【図１】本発明であるエレベータ巻上機の揚重装置を用いた巻上機の揚重方法を説明する昇降路縦断面図である。
【図２】本発明であるエレベータ巻上機の揚重装置を用いた巻上機の揚重方法を説明する昇降路縦断面図である。
【図３】本発明であるエレベータ巻上機の揚重装置を用いた巻上機の揚重方法を説明する昇降路縦断面図である。
【図４】本発明であるエレベータ巻上機の揚重装置の要部拡大図である。
【図５】本発明であるエレベータ巻上機の揚重装置の要部拡大図である。
【図６】本発明であるエレベータ巻上機の揚重装置の要部拡大図である。
【符号の説明】
【００２３】
１  昇降路
２  乗かご用ガイドレール
３  つり合いおもり用ガイドレール
４  作業足場
５  ビーム部材
６  巻上機
７  固定部材
８  揚重機
８ａ  揚重索
９  固定具
１０ａ  最下階乗場
１０ｂ  最上階乗場
１１  ロッド部材
【図１】
2007210708.tif 000003
【図２】
2007210708.tif 000004
【図３】
2007210708.tif 000005
【図４】
2007210708.tif 000006
【図５】
2007210708.tif 000007
【図６】
2007210708.tif 000008